(57)【要約】【課題】電線群に対するシールド外装材の組付作業を簡単に、かつ容易に行うことができるワイヤーハーネスを提供する。【解決手段】電線群５０と、長方形に形成されかつ少なくとも一側面部が導電性を有するよう構成され、長方形の短辺を電線群５０の周方向に合わせかつ一側面部が露出するよう電線群５０の長手方向所定範囲を海苔巻状に包むシート状のシールド外装材１０と、電線群の周方向に延びるとともに、電線群５０を周方向に包んだ状態のシールド外装材１０に当接して、シールド外装材１０を保持するＣ字状の保持部２１を有するアース用端子部材２０と、一端部がアース用端子部材２０に接続され、かつ他端部がアースポイントに接地されるアース線３０とを備えた構成である。【選択図】図４
2015072883.tif 000002
【特許請求の範囲】
【請求項１】
電線群と、
長方形に形成されかつ少なくとも一側面部が導電性を有するよう構成され、長方形の短辺を前記電線群の周方向に合わせかつ一側面部が露出するよう前記電線群の長手方向所定範囲を海苔巻状に包むシート状のシールド外装材と、
前記電線群の周方向に延びるとともに、前記電線群を周方向に包んだ状態の前記シールド外装材に当接して、前記シールド外装材を保持するＣ字状の保持部を有するアース用端子部材と、
一端部が前記アース用端子部材に接続され、かつ他端部がアースポイントに接地されるアース線とを備えたことを特徴とするワイヤーハーネス。
【請求項２】
前記アース用端子部材は、前記電線群を周方向に包んだ状態の前記シールド外装材に、粘着テープによって固定されていることを特徴とする請求項１に記載のワイヤーハーネス。
【請求項３】
前記アース用端子部材は、前記電線群の長手方向に突出する固定部を有し、
前記固定部は、前記電線群を周方向に包んだ状態の前記シールド外装材に、前記粘着テープによって固定されていることを特徴とする請求項１に記載のワイヤーハーネス。
【請求項４】
前記シールド外装材は、前記電線群の両端に接続された端子部材の際まで前記電線群を包んでいることを特徴とする請求項１乃至３のいずれか１に記載のワイヤーハーネス。
【発明の詳細な説明】
【技術分野】
【０００１】
本発明は、ワイヤーハーネスに関する。
【背景技術】
【０００２】
従来、絶縁樹脂シートに金属箔を貼付したシールド外装材と、電線群の長手方向に延びるドレイン線とを備えたワイヤーハーネスが知られている（例えば、特許文献１参照）。
【０００３】
シールド外装材は、金属箔が電線群に当接するよう電線群の長手方向所定範囲を周方向に包んでいる。ドレイン線は、シールド外装材の包み初め部分における絶縁樹脂シートと、シールド外装材の包み終り部分における金属箔とに挟まれている。また、ドレイン線は、アース端子に接続されている。
【０００４】
シールド外装材の包み終り部分における金属箔およびドレイン線は、シールド外装材の包み初め部分における絶縁樹脂シートに、電線群の長手方向に延びる粘着層によって固定され、金属箔にドレイン線が当接するようになっている。
【０００５】
上述のワイヤーハーネスは、電線群を周方向に包むシールド外装材と、電線群の長手方向に延びて金属箔に当接するドレイン線とによって、電線に通電される信号電流が電界の変化等に起因する静電ノイズの影響を受けないようにしている。
【先行技術文献】
【特許文献】
【０００６】
【特許文献１】特開平１１−３５３９５２号公報
【発明の概要】
【発明が解決しようとする課題】
【０００７】
しかしながら、上述のワイヤーハーネスは、シールド外装材により電線群が包まれる範囲が長くなると、シールド外装材の包み終り部分とシールド外装材の包み初め部分とを粘着層によって固定する際に、シールド外装材の位置決めが難しくなる。このため、上述のワイヤーハーネスは、電線群に対するシールド外装材の組付作業を簡単に、かつ容易に行うことができなかった。
【０００８】
そこで、本発明は、上述した課題を解決するためになされたものであり、電線群に対するシールド外装材の組付作業を簡単に、かつ容易に行うことができるワイヤーハーネスを提供することを目的としている。
【課題を解決するための手段】
【０００９】
本発明に係るワイヤーハーネスは、上記目的を達成するため、電線群と、長方形に形成されかつ少なくとも一側面部が導電性を有するよう構成され、長方形の短辺を前記電線群の周方向に合わせかつ一側面部が露出するよう前記電線群の長手方向所定範囲を海苔巻状に包むシート状のシールド外装材と、前記電線群の周方向に延びるとともに、前記電線群を周方向に包んだ状態の前記シールド外装材に当接して、前記シールド外装材を保持するＣ字状の保持部を有するアース用端子部材と、一端部が前記アース用端子部材に接続され、かつ他端部がアースポイントに接地されるアース線とを備えた構成である。
【００１０】
この構成により、本発明に係るワイヤーハーネスは、アース用端子部材が、電線群の長手方向所定範囲を周方向に包んでいるシールド外装材を保持する。このため、本発明に係るワイヤーハーネスは、電線群に対するシールド外装材の組付作業を簡単に、かつ容易に行うことができる。
【００１１】
また、本発明に係るワイヤーハーネスは、アース用端子部材が、導電性を有するシールド外装材の一側面部とアース線とを電気的に接続する。このため、本発明に係るワイヤーハーネスは、シールド外装材がドレイン線を兼ねる。よって、本発明に係るワイヤーハーネスは、電線群の長手方向所定範囲が静電ノイズの影響を受けないようにすることができる。
【００１２】
上述した構成のワイヤーハーネスにおいて、前記アース用端子部材は、前記電線群を周方向に包んだ状態の前記シールド外装材に、粘着テープによって固定されている構成としてもよい。
【００１３】
この構成により、本発明に係るワイヤーハーネスは、粘着テープが、アース用端子部材とシールド外装材とを相互に固定する。このため、本発明に係るワイヤーハーネスは、電線群の長手方向所定範囲を周方向に包むシールド外装材に対してアース用端子部材がずれることがない。
【００１４】
上述した構成のワイヤーハーネスにおいて、前記アース用端子部材は、前記電線群の長手方向に突出する固定部を有し、前記固定部は、前記電線群を周方向に包んだ状態の前記シールド外装材に、粘着テープによって固定されている構成としてもよい。
【００１５】
この構成により、本発明に係るワイヤーハーネスは、粘着テープが、アース用端子部材の固定部とシールド外装材とを相互に固定する。このため、本発明に係るワイヤーハーネスは、電線群の長手方向所定範囲を周方向に包むシールド外装材に対してアース用端子部材がずれることがない。
【００１６】
上述した構成のワイヤーハーネスにおいて、前記シールド外装材は、前記電線群の両端に接続された端子部材の際まで前記電線群を包んでいる構成としてもよい。
【００１７】
この構成により、両端に端子部材が接続された電線群について、全長に渡り、静電ノイズの影響を受けないようにすることができる。
【発明の効果】
【００１８】
本発明によれば、電線群に対するシールド外装材の組付作業を簡単に、かつ容易に行うことができるワイヤーハーネスを提供することができる。
【図面の簡単な説明】
【００１９】
【図１】本発明の第１の実施の形態に係るワイヤーハーネスを構成するシールド外装材により電線群を包む工程を示す概略側面図である。
【図２】本発明の第１の実施の形態に係るワイヤーハーネスを構成するアース用端子部材の斜視図であり、図２（ａ）はアース線の取り付け前を示し、図２（ｂ）はアース線の取り付け後を示す。
【図３】本発明の第１の実施の形態に係るワイヤーハーネスを構成するシールド外装材およびアース用端子部材を電線群に組み付けた状態の部分斜視図である。
【図４】本発明の第１の実施の形態に係るワイヤーハーネスの部分斜視図である。
【図５】本発明の第１の実施の形態に係るワイヤーハーネスの側面図である。
【図６】本発明の第２の実施の形態に係るワイヤーハーネスの側面図である。
【発明を実施するための形態】
【００２０】
以下、本発明の実施の形態に係るワイヤーハーネスについて、図面を参照して説明する。
【００２１】
（第１の実施の形態）
図１ないし図５に示すように、本実施の形態に係るワイヤーハーネスＷは、電線群５０、シールド外装材１０、アース用端子部材２０、アース線３０および粘着テープ４０を含んで構成されている。
【００２２】
電線群５０は、ポリ塩化ビニルで被覆された複数の電線５１の集合である。複数の電線５１は、粘着テープ等によって束ねてあってもよい。シールド外装材１０は、少なくとも一側面部が導電性を有するようシート状に構成されている。
【００２３】
シールド外装材１０は、長方形のシート状に形成され、少なくとも一側面部が導電性を有し、導電性を有する一側面部が露出するよう長方形の短辺を前記電線群の周方向に合わせ前記電線群の長手方向所定範囲を海苔巻状（周方向）に包み得る構成である。
【００２４】
シールド外装材１０の具体例としては、アルミ箔等の金属箔、シート状に形成した編組線、あるいは樹脂フィルムの一側面部に金属膜を蒸着等により形成させたものが挙げられる。
【００２５】
アース用端子部材２０は、電線群５０の周方向に延びる略Ｃ字状の断面形状を有する保持部２１を含んでいる。アース用端子部材２０は、電線群５０の長手方向所定範囲を周方向に包んだ状態のシールド外装材１０に当接して、シールド外装材１０を保持するようになっている。
【００２６】
アース用端子部材２０は、弾性力によって、電線群５０を周方向に包んだ状態のシールド外装材１０に保持部２１が当接するように構成してもよいし、あるいは塑性変形させることによって、電線群５０を周方向に包んだ状態のシールド外装材１０に保持部２１が当接するように構成してもよい。アース用端子部材２０の材料としては、例えば、リン青銅、ステンレス鋼等が挙げられる。
【００２７】
アース用端子部材２０は、保持部２１から電線群５０の長手方向の一側および他側のそれぞれに向けて突出する一対の固定部２２を有している。また、アース用端子部材２０は、保持部２１の所定個所に２つ並んで部材厚み方向に貫通する孔２３を有している。
【００２８】
アース線３０は、導線３１と、導線３１を被覆する絶縁層３２とを備えてなる。アース線３０の一端部は、絶縁層３２の一部が剥ぎ取られ導線露出部３１ａを有する。導線露出部３１ａは、アース用端子部材２０の２つの孔２３に挿通されるとともに、アース用端子部材２０に絡げられている。アース線３０の他端部は、図示しない端子、あるいはコネクタ等を介してアースポイントに接地されるようになっている。
【００２９】
粘着テープ４０は、ポリ塩化ビニルよりなる帯状の基材の一側面部に、粘着剤を塗布して粘着層を形成したものである。粘着テープ４０は、電線群５０を周方向に包んだ状態のシールド外装材１０に、アース用端子部材２０の固定部２２を固定するようになっている。
【００３０】
また、粘着テープ４０は、アース用端子部材２０においてシールド外装材１０の長手方向端部側に位置している固定部２２と、電線群５０においてシールド外装材１０から露出している個所とを固定するようになっている。
【００３１】
本実施の形態に係るワイヤーハーネスＷを製作するときには、シールドの対象となる電線群５０の長手方向所定範囲を周方向に包み得る平面形状を有するシールド外装材１０を用意しておく。
【００３２】
また、アース線３０の一端部から露出させてある導線露出部３１ａを、アース用端子部材２０の２つの孔２３に挿通したうえ、アース用端子部材２０に絡げる。導線露出部３１ａは、必要に応じて保持部２１に半田付けにより接合し、アース線３０とアース用端子部材２０との導通性が確保されるようにする。
【００３３】
まず、シールド外装材１０によって、シールドの対象となる電線群５０の長手方向所定範囲を周方向に包む。シールド外装材１０が樹脂シートの一側面部に金属膜を形成したものである場合は、導電性を有する金属膜が露出するようにシールド外装材１０で電線群５０の長手方向所定範囲を周方向に包む。シールド外装材１０がアルミ箔等の金属箔や、シート状に形成した編素線である場合は、シールド外装材１０の一側面部、あるいは他側面部のいずれが露出してもよい。
【００３４】
次いで、アース用端子部材２０の保持部２１に、電線群５０、および電線群５０を包んでいるシールド外装材１０を嵌め込み、保持部２１とシールド外装材１０とを当接させるとともに、シールド外装材１０を保持させる。シールド外装材１０に保持部２１が当接すると、シールド外装材１０とアース線３０とがアース用端子部材２０を介して電気的に接続されることになる。
【００３５】
アース用端子部材２０は、電線群５０を包んでいるシールド外装材１０の長手方向の両端部にそれぞれ取り付けるようにすることが好ましいが、電線群５０を包んでいるシールド外装材１０の長手方向中間部の１か所にだけ設けるようにしてもよい。
【００３６】
この後、アース用端子部材２０の固定部２２と、電線群５０を包んでいるシールド外装材１０とに粘着テープ４０を巻き掛ける。これにより、アース用端子部材２０の固定部２２とシールド外装材１０とが粘着テープ４０によって相互に固定される。
【００３７】
さらに、アース用端子部材２０において電線群５０を包んでいるシールド外装材１０の長手方向端部側に位置している固定部２２と、電線群５０において電線群５０を周方向に包んでいるシールド外装材１０から露出している個所とに粘着テープ４０を巻き掛ける。これにより、アース用端子部材２０の一方の固定部２２と電線群５０とが粘着テープ４０によって相互に固定される。
【００３８】
また、アース線３０の他端部を、図示しない端子、あるいはコネクタ等を介してアースポイントに接地させる。
【００３９】
本実施の形態に係るワイヤーハーネスＷは、アース用端子部材２０の保持部２１が、電線群５０の長手方向所定範囲を周方向に包んでいるシールド外装材１０を保持する。このため、本実施の形態に係るワイヤーハーネスＷは、電線群５０に対するシールド外装材１０の組付作業を簡単に、かつ容易に行うことができる。
【００４０】
本実施の形態に係るワイヤーハーネスＷは、シールドが必要となった既設の電線群５０、もしくは電線群５０の特定個所にシールド外装材１０を組み付けるのに適しており、電線群５０を構成している各電線５１のそれぞれに耐ノイズ性を付与することができる。
【００４１】
また、本実施の形態に係るワイヤーハーネスＷは、アース用端子部材２０の保持部２１が、導電性を有するシールド外装材１０の一側面部とアース線３０とを電気的に接続する。このため、本実施の形態に係るワイヤーハーネスＷは、シールド外装材１０がドレイン線を兼ねる。よって、本実施の形態に係るワイヤーハーネスＷは、電線群５０の長手方向所定範囲が静電ノイズの影響を受けないようにすることができる。
【００４２】
本実施の形態に係るワイヤーハーネスＷは、粘着テープ４０が、アース用端子部材２０の固定部２２とシールド外装材１０とを相互に固定する。このため、本実施の形態に係るワイヤーハーネスＷは、電線群５０の長手方向所定範囲を周方向に包むシールド外装材１０に対してアース用端子部材２０がずれることがない。
【００４３】
本実施の形態に係るワイヤーハーネスＷは、粘着テープ４０が、アース用端子部材２０の一方の固定部２２と電線群５０とを相互に固定する。このため、本実施の形態に係るワイヤーハーネスＷは、電線群５０に対して電線群５０の長手方向所定範囲を周方向に包むシールド外装材１０がずれることがない。
【００４４】
（第２の実施の形態）
図６に示すように、本実施の形態に係るワイヤーハーネスＷ'は、電線群５０、シールド外装材１０、アース用端子部材２０、アース線３０および粘着テープ４０を含んで構成されている点では、第１の実施の形態の構成と同一であり、前記電線群５０の両端に端子部材５１が接続されている点で、第１の実施の形態の構成と相違している。
【００４５】
シールド外装材１０は、電線群５０の両端に接続された端子部材５１の際まで電線群５０を包んでいる。
【００４６】
この構成により、両端に端子部材５１が接続された電線群５０について、全長に渡り、静電ノイズの影響を受けないようにすることができる。
【００４７】
以上のように、本発明に係るワイヤーハーネスは、アース用端子部材が、電線群の長手方向所定範囲を周方向に包んでいるシールド外装材を保持する。よって、本発明に係るワイヤーハーネスは、電線群に対するシールド外装材の組付作業を簡単に、かつ容易に行うことができるという効果を奏するものである。
【産業上の利用可能性】
【００４８】
本発明に係るワイヤーハーネスは、電線群に対するシールド外装材の組付作業を簡単に、かつ容易に行うことができるので、車両、種々の装置、機械設備等に利用できる。
【符号の説明】
【００４９】
１０  シールド外装材
２０  アース用端子部材
２１  保持部
２２  固定部
３０  アース線
４０  粘着テープ
５０  電線群
５１  端子部材
【図１】
2015072883.tif 000003
【図２】
2015072883.tif 000004
【図３】
2015072883.tif 000005
【図４】
2015072883.tif 000006
【図５】
2015072883.tif 000007
【図６】
2015072883.tif 000008